(57)【要約】【課題】本発明は、屋根裏の換気だけでなく室内の換気も効果的に行え、併せて、室内の温度上昇の抑制をも図ることのできる建物を提供することを目的とする。【解決手段】この発明の建物は、屋根裏に設けられ、勾配を有し、上部側は開口１を介して建物外に連通する通気層２と、外壁３下部に設けられた外気取込み口４と、外壁３上部に設けられた室内空気流出口５と、前記室内空気流出口５を前記通気層２の下部に繋ぐダクト６とを具備した。【選択図】図１
2019190026.tif 000002
【特許請求の範囲】
【請求項１】
屋根裏に設けられ、勾配を有し、上部側は開口を介して建物外に連通する通気層と、
外壁下部に設けられた外気取込み口と、
外壁上部に設けられた室内空気流出口と、
前記室内空気流出口を前記通気層の下部に繋ぐダクトとを具備した建物。
【請求項２】
前記通気層は上下二重の金属折板材の間に設けられている請求項１に記載の建物。
【請求項３】
前記開口は開閉可能である請求項１または２に記載の建物。
【発明の詳細な説明】
【技術分野】
【０００１】
本発明は、例えば、屋根裏を利用した換気構造を有する建物に関する。
【背景技術】
【０００２】
屋根裏に通気層を設け、所定の温度以上では通気層を外部に開放し、所定の温度を下回った場合には通気層を閉鎖することができるようにした屋根構造が知られている（例えば、特許文献１参照）。
【先行技術文献】
【特許文献】
【０００３】
【特許文献１】特開２００７−２８５０２９号公報
【発明の概要】
【発明が解決しようとする課題】
【０００４】
上記屋根構造では、高温時には通気層を開放して室内温度の上昇を抑えることができ、低温時には通気層を閉鎖して室内の温度低下を抑えることができる。
【０００５】
しかし、上記屋根構造では、屋根裏の通気層が室内とは連絡していないので、室内の換気は別途行う必要がある。
【０００６】
本発明は、屋根裏の換気だけでなく室内の換気も効果的に行え、併せて、室内の温度上昇の抑制をも図ることのできる建物の提供を目的とする。
【課題を解決するための手段】
【０００７】
上記目的を達成するために、本発明に係る建物は、屋根裏に設けられ、勾配を有し、上部側は開口を介して建物外に連通する通気層と、外壁下部に設けられた外気取込み口と、外壁上部に設けられた室内空気流出口と、前記室内空気流出口を前記通気層の下部に繋ぐダクトとを具備した（請求項１）。
【０００８】
上記建物において、前記通気層は上下二重の金属折板材の間に設けられていてもよい（請求項２）。
【０００９】
上記建物において、前記開口は開閉可能であってもよい（請求項３）。
【発明の効果】
【００１０】
本願発明では、屋根裏の換気だけでなく室内の換気も効果的に行え、併せて、室内の温度上昇の抑制をも図ることのできる建物が得られる。
【００１１】
すなわち、本願の各請求項に係る発明の建物では、内外気温条件が揃えば、外壁下部の外気取込み口から室内に外気が取り込まれ、室内の対流等により上昇した室内空気（熱気）は室内空気流出口からダクト及び通気層をこの順に経て排出される、といった空気循環により、機械によらない換気を行うことが可能となり、空調負荷と換気動力を削減することができる。
【００１２】
そして、勾配を持った通気層を流通する室内空気の速度は屋根に加わる太陽熱によって加速し、この加速に伴って上記の空気循環が効率よく促進されるので、特に、夏期、中間期は、屋根からの熱還流を空気循環の動力として活用することによる換気性能の向上を大いに期待することができる。
【００１３】
請求項２に係る発明の建物では、通気層内で室内空気中の水分が結露した場合も、下側の金属折板材によって防水ラインを構築することができるので、室内への漏水を確実に防止することができる。しかも、比較的簡易な構成によって通気層を構築することができるので、施工性の向上や施工コストの低下等を見込むこともできる。
【００１４】
請求項３に係る発明の建物では、通気層上部側の開口を閉鎖することにより、断熱性能を高めることができる。斯かる閉鎖措置は特に気温が低下する冬期等に有効である。
【図面の簡単な説明】
【００１５】
【図１】（Ａ）は本発明の一実施の形態に係る建物の構成を概略的に示す説明図、（Ｂ）は前記建物の屋根部の構成を概略的に示す縦断面図である。
【図２】（Ａ）は前記建物の変形例の要部を概略的に示す説明図、（Ｂ）は前記建物の他の変形例の要部を概略的に示す説明図である。
【発明を実施するための形態】
【００１６】
本発明の実施の形態について図面を参照しながら以下に説明する。
【００１７】
図１（Ａ）に示す建物は、屋根裏に設けられ、勾配を有し、上部側は開口１を介して建物外に連通する通気層２と、外壁３下部に設けられた複数の外気取込み口４と、外壁３上部に複数設けられた室内空気流出口５と、各室内空気流出口５を通気層２の下部に繋ぐダクト６とを具備する。
【００１８】
斯かる建物では、内外気温条件が揃えば、外壁３下部の外気取込み口４から室内に外気が取り込まれ、室内の対流等により上昇した室内空気（熱気）は室内空気流出口５からダクト６及び通気層２をこの順に経て開口１から建物外に排出される、といった空気循環により、機械によらない換気を行うことが可能となり、空調負荷と換気動力を削減することができる。
【００１９】
そして、勾配を持った通気層２を流通する室内空気の速度は屋根に加わる太陽熱によって加速し、この加速に伴って上記の空気循環が効率よく促進されるので、特に、夏期、中間期は、屋根からの熱還流を空気循環の動力として活用することによる換気性能の向上を大いに期待することができる。
【００２０】
以上から、室内空気の流通をなるべく妨げないように、通気層２内には何も配置・充填せず、空としておくのが望ましい。
【００２１】
図１（Ｂ）に示すように、通気層２を、屋根を構成する上下二重の金属折板材（屋根材）７，８の間に設ければ、通気層２内で室内空気中の水分が結露した場合も、下側の金属折板材８によって防水ラインを構築することができるので、室内への漏水を確実に防止することができる。しかも、この場合、比較的簡易な構成（ダブル折板７，８）によって屋根を構成しつつ通気層２をも構築することができるので、施工性の向上や施工コストの低下等を見込むこともできる。
【００２２】
ここで、図１（Ｂ）に示す例では、上側の金属折板材７が下側の金属折板材８に対し浮いた状態となるように両者７，８の間にスペーサー９を設けてあり、かつ、両者７，８を相互の山と谷の位置が各々合致するように配してある。
【００２３】
なお、屋外に露出する上側の金属折板材７は、例えば耐候鋼板によって構成し、谷部分が結露受けとなる下側の金属折板材８は例えば錆（水分）に強いガルバリウム鋼板（登録商標）によって構成することが考えられる。
【００２４】
また、図１（Ａ）に示す例では、開口１、外気取込み口４及び室内空気流出口５を、それぞれ開閉扉１ａ、４ａ、５ａによって開閉可能としてあり、全ての開閉扉を閉鎖することによって建物の断熱性能を高めることができる。斯かる閉鎖措置は特に気温が低下する冬期等に有効である。
【００２５】
そして、建物の断熱性能を効果的に高めるためには、図１（Ａ）に示すように、下側の金属折板材８の下側（内側）に、例えばグラスウールボード（マット）によって構成した断熱層１０を設け、これと同様の断熱層を、天井側のみならず壁側にも設けることが考えられる。ここで、断熱層１０が吸音層を兼用するようにしてもよい。
【００２６】
一方、各開閉扉１ａ、４ａ、５ａは、それぞれ手動・自動の何れによって開閉されるものであってもよいが、図１（Ａ）に示すように、室外気温を計測するために室外に設置した外気温度センサー１１と、室内気温を計測するために開閉扉１ａの内側において開口１付近（屋根裏）に配置した内気温度センサー１２とから得られる内外気温（データ）に基づいて、各開閉扉１ａ、４ａ、５ａを自動制御（開閉）することで、換気性能や断熱性能をより高めることもできる。この場合、各開閉扉１ａ、４ａ、５ａを開閉するための条件は適宜設定可能である。
【００２７】
図１（Ａ）に示すように、上側の金属折板材７は、下側の金属折板材８よりも長く、その両端が軒を構成する。そして、勾配を持った上側の金属折板材７の上面（谷部）に沿って流下する雨水等は樋１３に流れ込む。
【００２８】
また、同じく勾配を持った下側の金属折板材８の上面（谷部）に沿って流下する水（主に結露等に由来する水分）は、ダクト６の底に配置された防水パン１４に流れ込む。この防水パン１４も樋として構成してあり、適宜の位置からダクト６外に引き出してある。
【００２９】
ダクト６は、通気層２の下部全体を密閉する（上側の金属折板材７の下面に密着する）ように構成してあり、また、通気層２の上部全体は別のダクト１５（図１（Ａ）参照）によって覆われ、ダクト１５に設けた開口１のみを通じて空気が内外に流通するように構成してある。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
図１（Ａ）の例では、外壁３において、勾配を持った通気層２の下部側に位置する部分のみに室内空気流出口５を設けてあるので、室内空気流出口５を通気層２の下部に繋ぐダクト６をコンパクトに構成することができるが、これに限らず、外壁３において、勾配を持った通気層２の下部側に位置する部分以外に室内空気流出口５を設け、これに合わせて、ダクト６を外壁３の外周方向に延ばして設けるようにしてもよい。
【００３２】
上記実施形態では、ダクト６によって通気層２の下部全体を密閉している（通気層２の下部に外気が直接入らないようにしている）が、密閉しない（ダクト６と上側の金属折板材７の下面との間に隙間が有る）ように構成してもよい。この場合、ダクト６と上側の金属折板材７との隙間を通じて室外の空気が通気層２内に導入されるので、通気層２には、室内空気流出口５からの室内空気と上記隙間からの室外空気とが流れ込むことになるが、この場合でも、屋根からの熱還流による温度差換気を行えることに変わりはない。
【００３３】
金属折板材７，８は、その断面形状が山型に限らず、両者７，８の間に通気層２を設けることができればよい。また、上下二重の金属折板材７，８として、折板屋根に用いられる屋根材ではなく、例えば断熱材を外装材及び内装材で挟んでなるサンドイッチパネルから断熱材を抜いたものを用いるようにする、といったことも考えられる。
【００３４】
上記実施形態では、上下二重の金属折板材７，８の間に通気層２を設けているが、これに限らず、例えば下側の金属折板材８を設けるかわりに、上側の金属折板材７の下方に防水パンを配置する等して防水層を形成し、この防水層と上側の金属折板材７の間に通気層２を形成するようにしてもよい。
【００３５】
開口１、外気取込み口４及び室内空気流出口５のいずれかに換気扇を設けてもよく、この換気扇が開閉扉１ａ、４ａ、５ａを兼用するものであってもよい。また、開閉扉１ａが排煙扉を兼用してもよい。
【００３６】
図１（Ａ）には、片流れ屋根の建物を示しているが、本発明は片流れ屋根以外の屋根を持つ建物にも適用可能であるのは勿論であり、例えば図２（Ａ）には切妻屋根の建物に適用した例を示す。この例では、屋根の上部に換気塔屋１６を設け、この換気塔屋１６に、開閉扉１ａによって開閉される開口１を設けてある。すなわち、この換気塔屋１６が図１（Ａ）の例におけるダクト１５に相当する。そして、換気塔屋１６により採光する場合、金属折板材７，８において少なくとも換気塔屋１６の直下に位置する部分は、透光性を有する素材（例えばポリカーボネート）によって構成することが考えられる。また、この場合、断熱層１０が採光の邪魔になるのであれば、換気塔屋１６の直下の位置に断熱層１０を設けないようにすればよい。
【００３７】
図２（Ｂ）に示すように、屋根材となる金属折板材７，８の端部に、ラジアル加工によって外壁３に沿って下方に延びる降下部１７を一体に設けてもよい。この場合、降下部１７の下部には水抜き穴付きの面戸板１８を設けることが考えられる。また、この場合、通気層２の上部に通じる開口１は、例えば金属折板材７，８の適宜の位置を切り欠いて形成することが考えられる。
【００３８】
なお、上記変形例どうしを適宜組み合わせてもよいことはいうまでもない。
【符号の説明】
【００３９】
１    開口
１ａ  開閉扉
２    通気層
３    外壁
４    外気取込み口
４ａ  開閉扉
５    室内空気流出口
５ａ  開閉扉
６    ダクト
７    上側の金属折板材
８    下側の金属折板材
９    スペーサー
１０    断熱層
１１    外気温度センサー
１２    内部温度センサー
１３    樋
１４    防水パン
１５    ダクト
１６    換気塔屋
１７    降下部
１８    面戸板
【図１】
2019190026.tif 000003
【図２】
2019190026.tif 000004